(57)【要約】  本発明は、透明な内部被覆層、及び、互いに直列に接続され、内部被覆層の貫通孔内に備わる複数のＰＣＢを有する、流れ点滅効果を有するフレキシブルチューブライトに関する。個々のＰＣＢには、複数のＬＥＤ、相当する量の限流抵抗及びそれらＬＥＤを駆動させるチップが備わる。ＰＣＢは、内部被覆層内の銅線と並列に接続される。ＬＥＤ駆動チップの信号線は制御装置と直列に接続される。透明な外部被覆層は、内部被覆層を包む。ＬＥＤ駆動チップはシリアルシフトレジスタ及び出力レジスタを有し、カスケード接続及び３つの大電流出力信号を採用する。ＰＣＢはメインワイヤを備え、隣り合う２つのＰＣＢのメインワイヤは並列に接続される。流れ点滅効果を有するフレキシブルチューブライトは、信号の再生、信号のカスケード接続及び信号の無限伝送を実現し、折り曲げたり切断したりすることができる。［図２］
2008533688.tif 000002
【特許請求の範囲】
【請求項１】
流れ点滅効果を有するフレキシブルチューブライトであって、
透明な内部被覆層であって、内部被覆層が押出し成形によって軟質透明プラスチックで形成したストリップ型部材であり、ストリップ型部材が内部に長手方向に伸びた貫通孔を備えており、ストリップ型部材の側壁内部に内部被覆層と同じ長さを有する２本の銅線が長手方向に伸びており、内部被覆層の下部側壁の中央線に沿って長手方向に開放溝が形成されていることを特徴とする内部被覆層と、
複数のプリント回路板であって、個々のプリント回路板が複数のＬＥＤ、相当する量の直列制限抵抗及びＬＥＤ駆動チップを備えており、個々のプリント回路板が両端にワイヤを備えており、プリント回路板がワイヤによって互いに直列に接続されており、プリント回路板の電力供給線が並列に銅線に接続されており、プリント回路板の信号線が直列に制御装置に接続されており、ＬＥＤ駆動チップの信号線が直列に制御装置に接続されており、プリント回路板が前記内部被覆層の貫通孔内に配置されることを特徴とする複数のプリント回路板と、
前記内部被覆層及び前記複数のプリント回路板を包むための透明な外部被覆層であって、押出し成形によって軟質透明プラスチックで形成され、前記内部被覆層と同じ長さを有することを特徴とする外部被覆層と
を有するフレキシブルチューブライト。
【請求項２】
ＬＥＤ駆動チップが３つの大電流出力信号を供給するチップであり、カスケード接続を可能とし、シリアルシフトレジスタ及び出力レジスタを有することを特徴とする、請求項１記載の流れ点滅効果を有するフレキシブルチューブライト。
【請求項３】
プリント回路板がメインワイヤを備え、隣り合う２枚のプリント回路板それぞれのメインワイヤがワイヤによって互いに並列に接続されることを特徴とする、請求項１記載の流れ点滅効果を有するフレキシブルチューブライト。
【請求項４】
プリント回路板がさらにコンデンサ及び電圧安定抵抗を備えていることを特徴とする、請求項１記載の流れ点滅効果を有するフレキシブルチューブライト。
【請求項５】
ＬＥＤ駆動チップが低電力消費で優れたノイズ排除性を有し、ＣＭＯＳを採用して作製されたチップであることを特徴とする、請求項１記載の流れ点滅効果を有するフレキシブルチューブライト。
【請求項６】
ＬＥＤが表面実装型ＬＥＤであることを特徴とする、請求項１記載の流れ点滅効果を有するフレキシブルチューブライト。
【請求項７】
ＬＥＤが平面及び立体パッケージコロイドを有する通常ＬＥＤであることを特徴とする、請求項１記載の流れ点滅効果を有するフレキシブルチューブライト。
【請求項８】
ＬＥＤがＲＧＢＬＥＤであることを特徴する、請求項１記載の流れ点滅効果を有するフレキシブルチューブライト。
【発明の詳細な説明】
【技術分野】
【０００１】
本発明は、ある種の装飾照明装置を提供することに関する。より具体的には、本発明は流れ点滅効果を有するフレキシブルチューブライトである。
【背景技術】
【０００２】
先行技術において、デジタル制御表示機能を画面で、特に発光ダイオード（ＬＥＤ）で構成される大型画面で用いるのは、かなり一般的であった。これらの装置は様々な像や文字を表示し、回路制御によって画面上で動きや追いかけ等の効果を実現する。しかし、デジタル制御表示機能が使用可能であるのは、行と列の走査により像を構築する大型画面においてのみである。小型画面や線状構造では、前記効果は得られない。こうして、画像モジュールを線型へと単純化し、透光性剛体管内へとパッケージしたＬＥＤチューブライトが開発された。しかし、この種のチューブライトは、折り曲げたり切断したりすることができず、信号制御線にパラレルインターフェースを採用し、メインＭＣＵのＩ／ＯインターフェースはＴＴＬ電気的レベルインターフェースであり、長距離伝送に適さない。さらに、ＬＥＤ駆動チップをカスケード接続に用いることはできず、つまりは、信号を同一の主信号線に無限に伝送することはできない。
【０００３】
上記画面と上記チューブライトに共通の特徴は、個々のＬＥＤ光源、すなわち画素のオン／オフ及び発光状態が、メインＭＣＵ及びＬＥＤ駆動チップにより制御され、信号のカスケード接続を実現することはできない点である。ＬＥＤ照明技術の急速な発展により、パワーＬＥＤが開発され、ＬＥＤの応用分野はさらに広がり始めている。上記の折り曲げと切断を可能とするために、デジタル制御表示機能をフレキシブルチューブライトに応用し、信号のカスケード接続と信号の再生を実現する試みが始まっている。
【０００４】
ＬＥＤのフレキシブル画面は、中国特許第２００３２０１２８７４１．５号に開示されている。本特許では、複数のユニットにＬＥＤが備わっており、フレキシブル画面を構成する。しかし、信号のカスケード接続と信号の再生については述べられていない。事実、本特許では、信号のカスケード接続、信号の再生及び信号の無限伝送を得ることができない。さらに、本特許では、流れ点滅効果を実現することもできない。
【０００５】
フレキシブルチューブライトの分野では、無限の多様性や輝かしい外観等の視覚効果が求められる。光り輝く効果を有するデュラライトや、均一で、連続的で、色鮮やかで、かつ柔らかな効果を有するフレキシブルネオンライトを、発光に関して柔軟に制御することはできない。言い換えれば、複数のユニット間の追いかけ効果をライトストリップにおいて実現することは可能かもしれないが、異なるＬＥＤ光源間の追いかけ効果、すなわち、流れ点滅効果を得ることはできない。流れ点滅効果を得るには、個々のＬＥＤ光源のオン／オフ状態を独立に制御しなければならず、それゆえ既知のフレキシブルチューブライト、すなわち、デュラライトやフレキシブルネオンライトに大量の回路を組み込む必要があり、その結果、既知のフレキシブルチューブライトのサイズは大きくなる。こうしたフレキシブルチューブライトが装飾機能を失い、それゆえ応用可能性を失うのは明らかであろう。
【０００６】
したがって、市場においては、個々のＬＥＤ光源のオン／オフ状態に関して制御可能であり、ＬＥＤ光源の光線が互いを追いかける流れ点滅効果を有し、信号の再生、信号のカスケード接続及び信号の無限伝送の実現を可能にし、折り曲げたり切断したりできる、デジタル制御画面機能を有するフレキシブルチューブライトが望まれている。
【０００７】
【特許文献１】中国特許第２００３２０１２８７４１．５号
【発明の開示】
【発明が解決しようとする課題】
【０００８】
先行技術の状態及びそれに付随する欠点は以上の通りであり、本発明の目的は、個々のＬＥＤ光源のオン／オフ状態に関して制御可能であり、ＬＥＤ光源の光線が互いを追いかける流れ点滅効果を有し、信号の再生、信号のカスケード接続及び信号の無限伝送の実現を可能にし、折り曲げたり切断したりできる、デジタル制御画面機能を有するフレキシブルチューブライトを提供することにある。
[発明を解決するための手段]
【０００９】
上述の目的を達成するため、本発明が提供する流れ点滅効果を有するフレキシブルチューブライトは、
透明な内部被覆層であって、内部被覆層が押出し成形によって軟質透明プラスチックで形成したストリップ型部材であり、ストリップ型部材が内部に長手方向に伸びた貫通孔を備えており、ストリップ型部材の側壁内部に内部被覆層と同じ長さを有する２本の銅線が長手方向に伸びており、内部被覆層の下部側壁の中央線に沿って長手方向に開放溝が形成されていることを特徴とする内部被覆層と、
複数のプリント回路板であって、個々のプリント回路板が複数のＬＥＤ、相当する量の直列制限抵抗及びＬＥＤ駆動チップを備えており、個々のプリント回路板が両端にワイヤを備えており、プリント回路板がワイヤによって互いに直列に接続されており、プリント回路板の電力供給線が並列に銅線に接続されており、プリント回路板の信号線が直列に制御装置に接続されており、ＬＥＤ駆動チップの信号線が直列に制御装置に接続されており、プリント回路板が前記内部被覆層の貫通孔内に配置されることを特徴とする複数のプリント回路板と、
前記内部被覆層及び前記複数のプリント回路板を包むための透明な外部被覆層であって、押出し成形によって軟質透明プラスチックで形成され、前記内部被覆層と同じ長さを有することを特徴とする外部被覆層と
を有する。
【００１０】
前記ＬＥＤ駆動チップは、３つの大電流出力信号を供給するチップであり、カスケード接続を可能とし、シリアルシフトレジスタ及び出力レジスタを有する。
【００１１】
前記プリント回路板はメインワイヤを備えており、２枚の隣り合うプリント回路板のメインワイヤは、ワイヤによって互いに並列に接続されている。
【００１２】
前記プリント回路板はさらに、コンデンサ及び電圧安定抵抗を備えている。
【００１３】
前記ＬＥＤ駆動チップは、ＣＭＯＳを採用して作製された、低電力消費で優れたノイズ排除性を有するチップである。
【００１４】
前記ＬＥＤは、表面実装型ＬＥＤである。
【００１５】
前記ＬＥＤは、平面及び立体パッケージコロイドを有する通常ＬＥＤである。
【００１６】
前記ＬＥＤは、ＲＧＢＬＥＤである。
【００１７】
先行技術と比較して、本発明のフレキシブルチューブライトの利点は次の通りである。まず、フレキシブルチューブ内にプリント回路板（ＰＣＢ）を備えており、ＬＥＤ駆動チップをＰＣＢ上に備えているため、個々のＬＥＤ光源のオン／オフ状態を制御可能であり、ＬＥＤ光源の光線が互いを追いかける流れ点滅効果が得られ、さらに本フレキシブルチューブライトは主制御装置を備えており、そのことで無限の多様性や輝かしい外観等の視覚効果を実現可能である。また、ＬＥＤ駆動チップがシリアルシフトレジスタ及び出力レジスタを有するため、信号の再生、信号のカスケード接続及び信号の無限伝送が得られる。また、ライトベルトの作製にフレキシブルチューブが用いられ、ＰＣＢの電力線がそれぞれ内部被覆層内の銅線と並列であり、隣り合う２枚のＰＣＢ全てのメインワイヤが互いに並列であるため、本発明のフレキシブルチューブライトは、隣り合う２枚のＰＣＢの電力線が互いに接続している部分で折り曲げ、切断可能である。さらに、フレキシブルチューブの使用により、本フレキシブルチューブライトは輸送、組立て及び装飾に大変便利なものとなる。したがって、様々な装飾効果を有する本フレキシブルチューブライトを、装飾照明に広範に用いることが可能であり、自由に制御することが可能である。
【図面の簡単な説明】
【００１８】
本発明の構造的特徴及び機能的特徴は、添付の図面に関する以下の記載によってより良く理解することができるだろう。添付の図面は、本発明の実施例を例示するものであるが、本発明はそれに限定されるものではない。
【図１】本願発明の実施形態に基づくフレキシブルチューブライトの外観を示した概略図である。
【図２】本フレキシブルチューブライトの概略斜視図である。
【図３】図２に「Ａ」と示されている部分の詳細図である。
【図４】内部被覆層の概略図である。
【図５】ＰＣＢ間の接続の構造図である。
【図６】本発明の実施形態に基づくフレキシブルチューブライトの回路図である。
【図７】本発明の別の実施形態に基づくフレキシブルチューブライトの概略図である。
【図８】既知のデュラライトの断面図である。
【図９】本願発明の実施形態に基づく、フレキシブルチューブライトの使用例の概略図である。
【発明を実施するための最良の形態】
【００１９】
図１、２及び３に示される通り、フレキシブルチューブライトは主に、内部被覆層（１１）、ＰＣＢ（２）、外部被覆層（１２）、コネクタ（４）、接続線（５）、制御装置（６）、スイッチング電源（７）及びプラグ（８）からなる。内部被覆層（１１）及び外部被覆層（１２）は、ライトのケース（１）を形成する。内部被覆層（１１）は押出し成形により軟質透明プラスチックで形成されたストリップ型部材であり、図４に示す通り、ストリップ型部材は内部に長手方向に伸びる貫通孔を有する。ストリップ型部材は、側壁内部に長手方向に伸びる２本の銅線（１３、１４）を備えている。２本の銅線（１３、１４）は、内部被覆層（１１）と同じ長さを有する。さらに、開放溝（１５）は、内部被覆層（１１）の下部側壁の中央線に沿って長手方向に形成されている。図５に示す通り、ＰＣＢは互いに直列に接続されており、接続されたＰＣＢは開放溝（１５）を介して内部被覆層内へと挿入される。個々のＰＣＢ（２）は、複数のＬＥＤ光源（２１）、相当する量の直列限流抵抗（２２）及びこれらＬＥＤを駆動するためのチップを備えている。本実施形態では、基本ユニットは３つのＬＥＤ光源、３つの直列限流抵抗及びこれらＬＥＤ光源を駆動するためのチップ（２３）で形成される。２つ以上の基本ユニットを、所望のＬＥＤ光源密度を得るために配置することができる。図１に示す通り、個々のＰＣＢはワイヤ束（３）を両端に備えている。図５に示す通り、ワイヤ束（３）はワイヤ（３１）、（３２）、（３３）、（３４）及び（３５）からなり、ワイヤ（３１）及び（３５）は電力接続線であり、ワイヤ（３２）、（３３）及び（３４）は信号線であり、ワイヤ（３２）はクロック信号（ＣＬＫ）線であり、ワイヤ（３３）は出力イネーブル信号（ＥＮ）線であり、ワイヤ（３４）はデータ信号線である。ＰＣＢは、これらワイヤによって互いに直列に接続されている。個々のＰＣＢ（２）は、メインワイヤを備えている。隣り合う２枚のＰＣＢそれぞれのメインワイヤは、電力接続線（３１）及び（３５）によって互いに接続され、隣り合う２枚のＰＣＢそれぞれのメインワイヤは並列接続されるようになっている。電力接続線（３１）及び（３５）に並列になったメインワイヤは、内部被覆層（１１）内の銅線（１３）及び（１４）に接続される。図３及び図６に示す通り、電力接続線（３１）はワイヤ（１３１）によって銅線（１３）に接続され、電力接続線（３５）はワイヤ（１４１）によって銅線（１４）に接続される。個々のＰＣＢ（２）上の駆動チップ（２３）の信号線は、信号接続線（３２）、（３３）及び（３４）によって互いに直列に接続され、コネクタ（４）及び接続線（５）によって制御装置（６）に接続される。コネクタ（４）は、マルチピン及びマルチオリフィスを備えたコネクタである。接続線（５）は、信号接続線及び電力接続線からなる。ＬＥＤ光源（２１）による発光を安定させ、ＬＥＤの寿命を延ばすため、プリント回路板はさらに、コンデンサ（２５）及び電圧安定抵抗（２４）を備えていてもよい。この回路部は、電圧安定抵抗（２４）及びコンデンサ（２５）により構成され、電圧安定化及び電圧保護等の機能を果たしうる。接続されたＰＣＢ及びワイヤは全て、内部被覆層（１１）の下部側壁の開放溝（１５）を通して、内部被覆層（１１）の貫通孔（１６）へと挿入される。最後に、外部被覆層（１２）が、内部被覆層（１１）及びその内部に収められたＰＣＢを包むため、押出し成形によって軟質透明プラスチックで形成される。外部被覆層（１２）は、内部被覆層（１１）と同じ長さを有し、ライトのケース（１）を構成する。
【００２０】
図６は、本発明の実施形態に基づくフレキシブルチューブライトの回路図である。ＬＥＤ駆動チップ（２３）は、３つの大電流出力信号を供給するチップであってもよく、カスケード接続を可能にする。このチップは、シリアルシフトレジスタ及び出力レジスタを有し、ＣＭＯＳを採用して作製され、優れたノイズ排除性を有しており低電力消費である。安定化ＤＣ電源が、スイッチング電源（７）により銅線（１３）及び（１４）へと供給され、こうしてこの安定化ＤＣ電源が個々のＰＣＢのメインワイヤ上で得られる。信号が最初のＰＣＢのＬＥＤ駆動チップへと伝送された後、データ信号はシリアルシフトレジスタの入力側へと伝送され、しかる後にシリアル入力が２つの信号出力へと変換される。２つの信号出力のうちの一方は３ビットパラレル信号出力であり、この信号出力は駆動された後、最初のＰＣＢ上の３つのＬＥＤを駆動する３つの電流を供給する。２つの信号出力のうちのもう一方は、出力レジスタによって後の回路へと伝送される。シリアルレジスタ及び出力レジスタはクロック信号によって制御され、クロック信号の立ち上がり時に動作する。制御信号はチップにより駆動され、ＬＥＤ光源へと伝送される。チップにより駆動された制御信号はまた、後の回路の入力信号としても用いられ、そこで入力信号は前の回路と並列の安定化ＤＣ電源により同等に再生される。しかる後、入力信号は駆動チップによりＬＥＤ光源へと伝送され、また、次の回路へと伝送される。この過程において、回路全体が信号の増幅、信号の再生、信号のカスケード接続を可能とし、信号は無限に伝送されうる。
【００２１】
ＬＥＤ光源は、表面実装型ＬＥＤでも、平面及び立体パッケージコロイドを有する通常ＬＥＤでも、ＲＧＢＬＥＤでもよい。さらに、図７に示す通り、フレキシブルチューブライトを平面上に設置する際、垂直に直立させて折り曲げることを可能にするために、別の実施形態も実施可能である。本実施形態において、ＰＣＢ（２０）は垂直に配置され、ＰＣＢ（２０）上のＬＥＤ光源は平面及び立体パッケージコロイドを有する通常ＬＥＤ（２０１）であり、ＬＥＤ（２０１）の２つのピンは、ＬＥＤ（２０１）がＰＣＢ（２０）にはんだ付けされた後、図７に示す通り、ＬＥＤ（２０１）が直立するよう上方に９０度折り曲げられる。したがって、垂直に直立して折り曲げられる形状が得られる一方で、ＬＥＤ（２０１）の発光表面は上方を向いている。
【００２２】
図８は、既知のデュラライトの断面図である。ストリップ型の透明プラスチックコア（１１０）は、長手方向に少なくとも２つのワイヤ（１２０及び１３０）を備えており、複数の電球（１６０ａ）、（１６０ｂ）及び（１６０ｃ）並びにその接続線（１７０ａ）及び（１７０ｂ）を収納するために、長手方向に延びた溝（１４０）又は複数の側面孔（１５０ａ）、（１５０ｂ）、（１５０ｃ）、（１５０ｄ）及び（１５０ｅ）を備えている。電球は互いに直列に接続線に接続され、しかる後に透明プラスチックコアが透明プラスチック被覆層（１８０）内に収められる。
【００２３】
図９は、フレキシブルチューブライトの使用例の概略図である。一つのフレキシブルチューブライト又は互いに並列な複数のフレキシブルチューブライトを、装飾に使用し、光の流れ効果を得ることができる。複数のフレキシブルチューブライト（１）を並列に組み合わせることで、図９に示す通り、複数のフレキシブルチューブライト（１）は、制御装置（６）の信号を制御することによって、様々な像や文字を形成し、これら像や文字の流れ効果をもたらすことができる。例えば図９に示す通り、並列に並んだフレキシブルチューブライトによって「Ｃ」という文字が表示される。
【００２４】
本発明のフレキシブルチューブライトにより、信号の再生、信号のカスケード接続、信号の無限伝送及び光の流れ視覚効果が得られる。本フレキシブルチューブライトは素晴らしく、光輝き、柔軟であり、したがって様々な装飾効果が得られる。本発明のフレキシブルチューブライトは、メインワイヤが銅線に並列に接続する接合部で折り曲げ、切断することが可能であり、また、他のフレキシブルチューブライトを接続することで延長可能である。
【００２５】
本発明の好ましい実施形態に関して述べたが、本発明の範囲を出ないその他の多くの変形や修正が、ここで当業者に明らかとなるであろう。したがって好ましくは、本発明はここで述べた特定の開示により限定されるべきではなく、添付の請求項のみによって限定されるべきである。
【図１】
2008533688.tif 000003
【図２】
2008533688.tif 000004
【図３】
2008533688.tif 000005
【図４】
2008533688.tif 000006
【図５】
2008533688.tif 000007
【図６】
2008533688.tif 000008
【図７】
2008533688.tif 000009
【図８】
2008533688.tif 000010
【図９】
2008533688.tif 000011
【国際調査報告】
2008533688.tif 000012
2008533688.tif 000013
2008533688.tif 000014
2008533688.tif 000015